(57)【要約】本発明は、炭酸水が受容された瓶の取出口に結びついて加圧による弾性変形により炭酸水を取出すための炭酸水取出用の瓶のキャップ組立体に関したことで、加圧変形により瓶内圧変化を誘発する弾性膜及びその一側に備わる排出管を有するキャップ部材と、瓶内部に挿入されて炭酸水に沈漬されるようにキャップ部材に支持された吸入管と、その吸入管とキャップ部材の排出管を連結するように設置されて弾性膜の弾性変形によって昇降することで吸入口が前記吸入管の先端部内外に出入してその吸入管を開閉させるバルブチューブを含み、前記弾性膜を加圧により弾性変形させるによって瓶内圧変化を誘発させて炭酸水が吸入管とバルブチューブ及び排出管を順次的に経て取出される構成により炭酸水を取出す時炭酸ガスの流失を最大限抑制する。
2004519392.tif 000002
【特許請求の範囲】
【請求項１】
炭酸水が受容された瓶の取出口に結びついて前記炭酸水を外部に取出すためのもので、
外力により弾力的に変形されて前記瓶内部の圧力を変化させるように上部に弾性膜が備わった筒体と、前記弾性膜と対面して空間部を形成するように前記筒体の内周面に備わって中央部に通孔が形成された隔板と、前記空間部と外部を連通させるように前記筒体に備わった排出管を有し、前記瓶の取出口に着脱自在に 結合されるキャップ部材と；
前記瓶内部に挿入されて炭酸水に沈漬されるように前記キャップ部材に支持された吸入管と；
前記吸入管と前記排出管を前記空間部と遮断された状態で連結するように前記キャップ部材に設置され、前記排出管側には排出口が設けられると同時に前記吸入管側には吸入口と密封板が設けられ、前記弾性膜の弾性変形によって昇降することによって前記吸入口が前記吸入管の先端部内外に出入して前記吸入管を開閉させるバルブチューブと；を含み、
前記弾性膜を弾性変形させることによって前記瓶の内圧変化を誘発させて前記炭酸水が前記取出管と前記バルブチューブ及び前記排出管を順次的に経て取出されることを特徴とする炭酸水取出用の瓶のキャップ組立体。
【請求項２】
炭酸水が受容された瓶の取出口に結びついて前記炭酸水を外部に取出すためのもので、
外力により弾力的に変形されて前記瓶内部の圧力を変化させるように上部に弾性膜が備わって側壁一側が上方に開口された開口部を有する筒体と、前記弾性膜と対面して空間部を形成するように前記筒体の内周面に備わって中央部に通孔が形成された隔板を有し、前記瓶の取出口に着脱自在に結合されるキャップ部材と；
前記瓶内部に挿入されて炭酸水に沈漬されるように前記キャップ部材に支持された吸入管と；
前記空間部と遮断された状態で前記吸入管と連結して前記キャップ部材の開口部を貫通するように結合する排出管を有し、前記吸入管側には吸入口と密封板が設けられて前記弾性膜の弾性変形によって昇降することによって前記吸入口が前記吸入管の先端部内外に出入して前記吸入管を開閉させるバルブチューブと；を含み、
前記弾性膜を弾性変形させることによって前記瓶の内圧変化を誘発させて前記炭酸水が前記取出管と前記バルブチューブ及び前記排出管を順次的に経て取出されることを特徴とする炭酸水取出用の瓶のキャップ組立体。
【請求項３】
前記バルブチューブは両端部が折曲部により折曲されて“フ”字形状構造を有するように成形されたことを特徴とする請求項１または２記載の炭酸水取出用の瓶のキャップ組立体。
【請求項４】
前記バルブチューブと前記排出管の一端部は、流動リーブにより互いに流動可能な状態で連通するように一体に成形されたことを特徴とする請求項１または２記載の炭酸水取出用の瓶のキャップ組立体。
【請求項５】
前記キャップ部材の空間部には前記バルブチューブを流動可能な状態で支持するためのガイドリーブが形成されたことを特徴とする請求項１または２記載の炭酸水取出用の瓶のキャップ組立体。
【請求項６】
前記キャップ部材の側壁はジャーバラ形態で形成されたことを特徴とする請求項１または２記載の炭酸水取出用の瓶のキャップ組立体。
【請求項７】
炭酸水が受容された瓶の取出口に結びついて前記炭酸水を外部に取出すためのもので、
側壁一側が上方に開口された開口部を有する筒体と、前記筒体の内周面に備わって中央部に通孔が形成された隔板を有し、前記瓶の取出口に着脱自在に結合されるキャップ部材と；
前記瓶内部に挿入されて炭酸水に沈漬されるように前記キャップ部材に支持された吸入管と；
前記隔板と対面して空間部を形成するように前記キャップ部材の筒体内周面に昇降可能な状態で結合する加圧板と；
前記キャップ部材の側壁開口部と前記隔板の通孔に貫通可能な状態で結合するように折曲部が形成されて前記吸入管側には吸入口と密封板が設けられた排出管を有し、前記排出管の折曲部が前記加圧板の底面に結びついて前記吸入管と連結するように結合するバルブチューブと；
前記バルブチューブ周囲に位置するように前記キャップ部材の隔板と前記加圧板との間に設置されて前記加圧板とを昇降させる弾性体と；を含み、
前記加圧板を加圧することによって前記瓶の内圧変化を誘発させて前記炭酸水が前記吸入管と前記バルブチューブ及び前記排出管を順次的に経て取出されることを特徴とする炭酸水取出用の瓶のキャップ組立体。
【請求項８】
炭酸水が受容された瓶の取出口に結びついて前記炭酸水を外部に取出すためのもので、
筒体の内周面に備わった隔板の中央部にねじ孔が形成され、前記瓶の取出口に着脱可能自在に結合されるキャップ部材と；
前記瓶内部に挿入されて炭酸水に沈漬されるように前記キャップ部材に支持された吸入管と；
前記隔板のねじ孔に貫通可能な状態でねじ結合するように折曲部が形成され、前記吸入管側には吸入口と密封板が設けられた排出管を有し、前記折曲部上にその回転のための抓みが備わって前記吸入管と連結するように結びつくバルブチューブと；含み、
前記バルブチューブの抓みを回転させるによってその昇降駆動により前記瓶の内圧変化を誘発させて前記炭酸水が前記取出管と前記バルブチューブ及び前記排出管を順次的に経て取出されることを特徴とする炭酸水取出用の瓶のキャップ組立体。
【請求項９】
炭酸水が受容された瓶の取出口に結びついて前記炭酸水を外部に取出すためのもので、筒体の内周面に備わった隔板の中央部に通孔を有し、前記瓶の取出口に着脱自在に結合されるキャップ部材と；
前記瓶内部に挿入されて炭酸水に沈漬されるように前記キャップ部材に支持された吸入管と；
前記隔板と対面して空間部を形成するように前記キャップ部材の筒体内周面に昇降可能な状態で結合する加圧板と；
前記吸入管側に吸入口と密封板を有し、前記加圧板に貫通された状態で結びついて外部と通じるように一体に形成され、前記吸入管と連結するように前記隔板の通孔に昇降可能な状態で貫通結合するバルブチューブと；
前記バルブチューブ周囲に位置するように前記キャップ部材の隔板と前記加圧板との間に設置されて前記加圧板を昇降させるための昇降手段；を含んで、
前記加圧板の加圧により前記瓶の内圧変化を誘発させて前記瓶を一定の傾きで傾くによって、前記炭酸水が前記取出管と前記バルブチューブ及び前記排出管を順次的に経て取出されることを特徴とする炭酸水取出用の瓶のキャップ組立体。
【請求項１０】
前記昇降手段は、
前記バルブチューブ周囲に位置するように前記キャップ部材の隔板と前記加圧板との間に設置される弾性体であることを特徴とする請求項９記載の炭酸水取出用の瓶のキャップ組立体。
【請求項１１】
前記昇降手段は、
前記バルブチューブ周囲に位置するように前記キャップ部材の隔板と前記加圧板との間に設置される弾性体と、前記弾性体の弾性変形状態を選択的に拘束するための拘束手段をさらに含み、前記拘束手段は、
前記キャップ部材の側壁に形成された第１掛溝及び第２掛溝と、
前記バルブチューブの外注面に突出された突出リーブに設けられて前記弾性体の弾性変形状態によって前記第１掛溝で位置移動する第１ホック及び前記第１掛溝と第２掛溝に各々選択的にかかり拘束される第２ホックとを含むことを特徴とする請求項９記載の炭酸水取出用の瓶のキャップ組立体。
【請求項１２】
前記拘束手段は、
前記キャップ部材の内周面に設置される所定カム溝を有するカム部材と；
前記加圧板の昇降運動によって前記カム溝内で一方向にカム運動して交互にロック／アンロックするよう前記加圧板に設置されたカムピンと；を含むことを特徴とする請求項１１記載の炭酸水取出用の瓶のキャップ組立体。
【請求項１３】
前記拘束手段は、
前記キャップ部材の筒体内周面に長さ方向に形成された凹凸型ガイドレールと；
前記ガイドレールと噛合い昇降運動自在に前記加圧板に連結する歯部材と；
前記弾性体により付勢され前記歯部材と先端部が噛み合って密着されるように前記ガイドレールの終端部に挿入され、前記歯部材の昇降運動によって干渉されて一方向に間歇的な回転運動により前記ガイドレール終端部に選択的に拘束されることによって前記ガイドレールとの交互な噛合いにより昇降運動自在に設置されたラチェットホイール部材と；を含むことを特徴とする請求項１１記載の炭酸水取出用の瓶のキャップ組立体。
【請求項１４】
前記ガイドレールは、
前記キャップ部材の筒体内周面に深さが異なる第１凹溝と第２凹溝が一定の間隔で隣接するように交互に配置されて凹凸型ガイドレールを成し、前記キャップ部材の筒体内周面の終端部には前記ガイドレールと段差が付くようにシリンダー型で形成された案内部を有し、前記ラチェットホイール部材は前記案内部に位置するように設置されることを特徴とする請求項１３記載の炭酸水取出用の瓶のキャップ組立体。
【請求項１５】
前記歯部材は、
円筒形本体と、前記本体の終端部に形成された歯部と、前記凹凸型ガイドレールと噛合うよう前記本体の外注面に放射状に均等に配置されるように突出形成されたスライド片を有することを特徴とする請求項１３記載の炭酸水取出用の瓶のキャップ組立体。
【請求項１６】
前記ラチェットホイール部材は、
円筒形本体と、前記歯部材の歯部と噛合うように前記本体の終端部に形成された歯部と、前記歯部材の昇降運動に干渉されて一方向に回転するように傾斜面を有し前記ガイドレールの深さによって選択的に拘束されて交互に噛合うように前記本体の外注面に突出形成されたガイド片を含むことを特徴とする請求項１３記載の炭酸水取出用の瓶のキャップ組立体。
【発明の詳細な説明】
【０００１】
（技術分野）
本発明は、瓶のキャップに関し、より詳しくは、炭酸水が受容された瓶の取出口に結びついて加圧による瓶の内圧変化を誘発させて炭酸水を不連続的に取り出すための炭酸水取出用の瓶のキャップ組立体に関する。
【０００２】
（背景技術）
通常、炭酸飲料内に溶解されている炭酸は、無色、無臭の不燃性気体の二酸化炭素（Ｃａｒｂｏｎ Ｄｉｏｘｉｄｅ）を指すもので、弱酸性の炭酸で飲料水内に溶解されて炭酸飲料（酒類）自体の特有な清涼感を感じるようにする。このような炭酸飲料水内に溶解されている炭酸ガスは、瓶内部の上端部空気層と同一な圧力になるまで瓶内部の上端部に移動して瓶内部の気圧が平衡状態で維持されるようにする特性を有する。
【０００３】
ところが、従来には通常ペット瓶等に受容された炭酸飲料を飲むためには瓶のキャップの開閉動作を反復するようになるので、瓶のキャップを開放することに瓶内部の上端部に存在する炭酸ガスが大気中に放出される。これにより、炭酸飲料水内の炭酸ガスが瓶内部の上端部に反復的に移動して平衡状態を維持させる。このような過程によって、飲料水内の炭酸ガスの濃度が順次的に低下されるので、炭酸飲料は特有の清涼な味を失う問題点がある。
【０００４】
上述したような問題点を解消するために、大韓民国特許登録番号第１２７６０３号（特許公報登録番号、特１９９７−９６３５号、出願番号特１９９５−２０３３号）の“炭酸水の瓶のキャップ”が創案され、前記特許の炭酸水の瓶のキャップは、瓶のキャップの外皮上方に備わった弾性膜柔軟部を加圧して瓶内圧の変化を誘発させるもので炭酸水の不連続的な取出しにより炭酸ガスの放出を抑制するによって飲料水内の炭酸ガス濃度維持を可能にしたものである。
【０００５】
しかし、前記の発明の炭酸水の瓶のキャップの場合、炭酸飲料の排出時瓶のキャップの外皮の内部空間部にまず炭酸飲料が充填された後、排出口を通じ排出される。
【０００６】
したがって、瓶のキャップの外皮の内部空間部で炭酸飲料が渦流を形成して移動し、それによる干渉現象によって炭酸飲料が強く噴出されて多量の泡が発生する。このような過程で、炭酸飲料に含まれていていた炭酸ガスが大気中に放出されて損失される問題点がある。また、炭酸飲料の排出完了時、瓶のキャップの外皮の内部空間部に充填された泡が変わって残留された炭酸飲料が排出口を通じ瓶の外壁に流れるために非衛生的な問題点があって、このような理由で現在にも商品化が進行されていない。
【０００７】
（発明の開示）
本発明は、上述したように、従来技術が有する問題点を勘案してこれを改善するため案出されたもので、本発明の目的は、簡単な操作により瓶内部に受容された炭酸飲料を容易に取り出しできる便利さを提供すると同時に、炭酸水の取出経路の最小化により炭酸飲料の取り出しの時、炭酸ガスの損失を最大限抑制してその濃度を最初状態に維持することによって、清涼飲料固有の新鮮度及び品質維持が可能な炭酸水取出用の瓶のキャップ組立体を提供するところにある。
【０００８】
そして、本発明の他の目的は、炭酸飲料の排出完了の時、瓶のキャップの空間部に残留されている炭酸飲料を基本的に排除して漏水を防止することによって、衛生的で経済的な炭酸水取出用の瓶のキャップ組立体を提供するところにある。
【０００９】
そして、本発明のまた他の目的は、炭酸飲料が受容された瓶に選択的に装着して汎用的に使用することによって、経済的で実用的な炭酸水取出用の瓶のキャップ組立体を提供するところにある。
【００１０】
前記のような目的を達成するために、本発明による炭酸水取出用の瓶のキャップ組立体は、炭酸水が受容された瓶の取出口に結びついて前記炭酸水を外部に取出すためのもので、外力により弾力的に変形されて前記瓶内部の圧力を変化させるように上部に弾性膜が備わった筒体と、前記弾性膜と対面して空間部を形成するように前記筒体の内周面に備わって中央部に通孔が形成された隔板と、前記空間部と外部を連通させるように前記筒体に備わった排出管を有して、前記瓶の取出口に着脱自在に結合されるキャップ部材と；前記瓶内部に挿入されて炭酸水に沈漬するように前記キャップ部材に支持された吸入管と；前記吸入管と前記排出管を前記空間部と遮断された状態で連結するように前記キャップ部材に設けられ、前記排出管側には排出口が設けられると同時に前記吸入管側には吸入口と密封板が設けられ、前記弾性膜の弾性変形によって昇降することで前記吸入口が前記吸入管の先端部内外に出入して前記吸入管を開閉させるバルブチューブと；を含み、前記弾性膜を弾性変形させることによって前記瓶の内圧変化を誘発させて前記炭酸水が前記取出管と前記バルブチューブ及び前記排出管を順次的に経て取出されることを特徴とする。
【００１１】
前記のような目的を達成するために、本発明による他の炭酸水取出用の瓶のキャップ組立体は、炭酸水が受容された瓶の取出口に結びついて前記炭酸水を外部に取出すためのもので、外力により弾力的に変形されて前記瓶内部の圧力を変化させるように上部に弾性膜が備わって側壁一側が上方に開口された開口部を有する筒体と、前記弾性膜と対面して空間部を形成するように前記筒体の内周面に備わって中央部に通孔が形成された隔板を有し、前記瓶の取出口に着脱自在に結合されるキャップ部材と；前記瓶内部に挿入されて炭酸水に沈漬されるように前記キャップ部材に支持された吸入管と；前記空間部と遮断された状態で前記吸入管と連結して前記キャップ部材の開口部を貫通するように結びつく排出管を有し、前記吸入管側には吸入口と密封板が設けられて前記弾性膜の弾性変形によって昇降することで前記吸入口が前記吸入管の先端部内外に出入して前記吸入管を開閉させるバルブチューブと；を含み、前記弾性膜を弾性変形させることによって前記瓶の内圧変化を誘発させ前記炭酸水が前記取出管と前記バルブチューブ及び前記排出管を順次的に経て取出されることを特徴とする。
【００１２】
前記の構成を有する本発明による炭酸水取出用の瓶のキャップ組立体によれば、前記バルブチューブは両端部が折曲部により折曲されて“フ”字形状構造を有するように成形されることが好ましい。
【００１３】
そして、前記バルブチューブと前記排出管の一端部は、ジャーバラ形流動リーブにより互いに流動可能な状態で連通するように一体にも成形出来る。
【００１４】
また、前記キャップ部材の空間部には前記バルブチューブを流動可能な状態で支持するためのガイドリーブが形成出来る。
【００１５】
前記のような目的を達成するために、本発明によるまた他の炭酸水取出用の瓶のキャップ組立体は、炭酸水が受容された瓶の取出口に結びついて前記炭酸水を外部に取出すためのもので、側壁一側が上方に開口された開口部を有する筒体と、前記筒体の内周面に備わって中央部に通孔が形成された隔板を有し、前記瓶の取出口に着脱自在に結合されるキャップ部材と；前記瓶内部に挿入されて炭酸水に沈漬されるように前記キャップ部材に支持された吸入管と；前記隔板と対面して空間部を形成するように前記キャップ部材の筒体内周面に昇降可能な状態で結合する加圧板と；前記キャップ部材の側壁開口部と前記隔板の通孔に貫通可能な状態で結びつくように折曲部が形成されて前記吸入管側には吸入口と密封板が設けられた排出管を有し、前記排出管の折曲部が前記加圧板の底面に結びついて前記吸入管と連結するように結びつくバルブチューブと；前記バルブチューブ周囲に位置するように前記キャップ部材の隔板と前記加圧板との間に設置されて前記加圧板を昇降させる弾性体と；を含み、前記加圧板を加圧することによって前記瓶の内圧変化を誘発させて前記炭酸水が前記取出管と前記バルブチューブ及び前記排出管を順次的に経て取出されることを特徴とする。
【００１６】
前記のような目的を達成するために、本発明によるまた他の炭酸水取出用の瓶のキャップ組立体は、炭酸水が受容された瓶の取出口に結びついて前記炭酸水を外部に取出すためのもので、筒体の内周面に備わった隔板の中央部にねじ孔が形成され、前記瓶の取出口に着脱自在に結合されるキャップ部材と；前記瓶内部に挿入されて炭酸水に沈漬されるように前記キャップ部材に支持された吸入管と；前記隔板のねじ孔に貫通可能な状態でねじ結合するように折曲部が形成され、前記吸入管側には吸入口と密封板が設けられた排出管を有し、前記折曲部上にその回転のための抓みが備わって前記吸入管と連結するように結びつくバルブチューブと；含み、前記バルブチューブの抓みを回転させることによってその昇降駆動により前記瓶の内圧変化を誘発させて前記炭酸水が前記取出管と前記バルブチューブ及び前記排出管を順次的に経て取出されることを特徴とする。
【００１７】
前記のような目的を達成するために、本発明によるまた他の炭酸水取出用の瓶のキャップ組立体は、炭酸水が受容された瓶の取出口に結びついて前記炭酸水を外部に取出すためのもので、筒体の内周面に備わった隔板の中央部に通孔を有し、前記瓶の取出口に着脱自在に結合されるキャップ部材と；前記瓶内部に挿入されて炭酸水に沈漬されるように前記キャップ部材に支持された吸入管と；前記隔板と対面して空間部を形成するように前記キャップ部材の筒体内周面に昇降可能な状態で結合する加圧板と；前記吸入管側に吸入口と密封板を有し、前記加圧板に貫通された状態で結びついて外部と通じるように一体に形成され、前記吸入管と連結するように前記隔板の通孔に昇降可能な状態で貫通結合するバルブチューブと；前記バルブチューブ周囲に位置するように前記キャップ部材の隔板と前記加圧板との間に設置されて前記加圧板を昇降させるための昇降手段と；を含み、前記加圧板の加圧により前記瓶の内圧変化を誘発させて前記瓶を一定の傾きでするによって、前記炭酸水が前記取出管と前記バルブチューブ及び前記排出管を順次的に経て取出されることを特徴とする。
【００１８】
本発明によれば、前記昇降手段は、前記バルブチューブ周囲に位置するように前記キャップ部材の隔板と前記加圧板との間に設置される弾性体と、前記弾性体の弾性変形状態を選択的に拘束するための拘束手段をさらに含み、前記拘束手段は、前記キャップ部材の側壁に形成された第１掛溝及び第２掛溝と、前記バルブチューブの外注面に突出された突出リーブに設けられて前記弾性体の弾性変形状態によって前記第１掛溝で位置移動する第１ホック及び前記第１掛溝と第２掛溝に各々選択的にかかり拘束される第２ホックとを含んで構成されるのが好ましい。
【００１９】
本発明の一側面によれば、前記拘束手段は、前記キャップ部材の内周面に設置される所定カム溝を有するカム部材と；前記加圧板の昇降運動によって前記カム溝内で一方向にカム運動して交互にロック／アンロックするよう前記加圧板に設けられたカムピンと；を含んで構成される。
【００２０】
本発明の他の側面によれば、前記拘束手段は、前記キャップ部材の筒体内周面に長さ方向に形成された凹凸型ガイドレールと；前記ガイドレールと噛合い昇降運動自在に前記加圧板に連結する歯部材と；前記弾性体により付勢され前記歯部材と先端部が噛み合って密着されるように前記ガイドレールの終端部に挿入され、前記歯部材の昇降運動によって干渉されて一方向に間歇的な回転運動により前記ガイドレール終端部に選択的に拘束されることで、前記ガイドレールとの交互な噛合いにより昇降運動自在に設置されたラチェットホイール部材と；を含むことが好ましい。
【００２１】
（発明を実施するための最良の態様）
以下、添付された図面を参照して本発明による炭酸水取出用の瓶のキャップ組立体の好ましい実施例を詳細に説明する。
【００２２】
図１を参照するに、本発明による炭酸水取出用の瓶のキャップ組立体は、炭酸水が受容された瓶１０の取出口に着脱自在に結合されるキャップ部材１１０と、瓶１０の内部に受容された炭酸水１に沈漬されるようにキャップ部材１１０に上端部が支持された吸入管１２０及びその吸入管１２０の上端部を出入して開閉するようにキャップ部材１１０に設置されたバルブチューブ１３０を含む。
【００２３】
図２は、前記キャップ部材を抜粋して一部を切断図示した斜視図で、図１及び図２を参照するに、キャップ部材１１０は、例えば、ペットｐｅｔ瓶１の取出口とその外注面に形成されたねじ１１を結合して密閉させるように内周面にねじ１１１ａが形成された円筒形本体１１１を有し、その上部には外力により上下方に弾性変形されて瓶１０の内部圧力変化を誘導するように形成された弾性膜１１２が備わっている。
【００２４】
そして、弾性膜１１２の下方には、空間部ｓが形成されるように円筒形本体１１１の内周面に隔板１１３が備わり、その隔板１１３の中央部には吸入管１２０の上端部に挿入されそれを支持するように下方に突出形成された支持管１１４が備わっている。
【００２５】
また、円筒形本体１１の一側には、ペット瓶１０の内部に受容された炭酸水１が外部に排出される排出管１１５が備わり、排出管１１５は、弾性膜１１２と隔板１１３との間に形成された空間部ｓと通じるように円筒形本体１１の一側に突出形成されている。
【００２６】
本発明によれば、キャップ部材１１０は例えば、合成樹脂材の射出成形により円筒形本体１１１と隔板１１３と支持管１１４及び排出管１１５が一体に成形されるのが好ましい。
【００２７】
バルブチューブ１３０は、吸入管１２０と排出管１１５を前記空間部と遮断された状態で連結できるように、図１及び図３に示されたように両端部が中央部の折曲部１３１により折曲され概略“フ”字形で形成されて、折曲部１３１がキャップ部材１１０の弾性膜１１２の底面に支持されるようにキャップ部材１１０の空間部ｓに昇降可能な状態で設置される。
【００２８】
バルブチューブ１３０は、弾性膜１１２と一体に成形されるのが好ましくて、バルブチューブ１３０の折曲部１３１は例えば、接着剤等によりキャップ部材１１０の弾性膜１１２に接着するように支持ができて、小型スクリューやリベット等により弾性膜１１２に結びつくように支持されて弾性膜１１２の弾性変形状態によって連動して昇降する。
【００２９】
バルブチューブ１３０の一側先端すなわち、吸入管１２０側の下端部には密封板１３２が形成されて、その密封板１３２の上方に１対の吸入口１３３が設けられていて、バルブチューブ１３０の他側先端すなわち、前記排出管側には排出口１３４が形成されている。
【００３０】
したがって、キャップ部材１１０の弾性膜１１２が外力により下方に弾性変形されれば、バルブチューブ１３０はその折曲部１３１が拘束されて降下し、前記１対の吸入口１３３は吸入管１２０の上端部内に挿入されて連通した状態を成す。
【００３１】
そして、キャップ部材１１０の弾性膜１１２に加えた外力が除去されれば、バルブチューブ１３０が昇降して１対の吸入口１３３が吸入管１２０の外部に抜け出して、下端部の密封板１３２が吸入管１２０の先端部に位置して、バルブチューブ１３０と吸入管１２０の連通状態が閉鎖される。
【００３２】
一方、本発明によれば、バルブチューブ１３０の吸入口１３３の大きさ及び数量を多様に変形して形成することによって飲料水の噴出量と強さを調節することができる。
【００３３】
以下では、前記のような構成を有する本発明による炭酸水取出用の瓶のキャップ組立体の動作状態を図４を参照にして詳細に説明する。
【００３４】
上述した本発明に係る炭酸水取出用の瓶のキャップ組立体により、ペット瓶内部に受容されている炭酸水を取出すためには、図４に示されたように、使用者が親指などを使用してキャップ部材１１０の弾性膜１１２を下方に加圧する。これで、弾性膜１１２が下方に屈曲変形されながらバルブチューブ１３０の折曲部１３１を圧押して降下させる。これにより、バルブチューブ１３０の吸入口１３３は吸入管１２０の上端部内部に挿入されて互いに連通した状態になる。この時、ペット瓶１０に受容された炭酸水１の上部に充填されている高圧の炭酸ガスが炭酸水を押し出すことによって、下方部の炭酸水が吸入管１２０を通じて上がりバルブチューブ１３０の吸入口１３３と排出管１１５を通じて外部に排出される。この時、排出される炭酸水１は、前記空間部ｓと遮断された状態の吸入管１２０とバルブチューブ１３０及び排出管１１５を順次的に経て排出されるので、排出過程において前記空間部ｓの炭酸水充填が排除される。
【００３５】
そして、キャップ部材１１０の弾性膜１１２に加えた外力が除去されれば、バルブチューブ１３０が昇降して１対の吸入口１３３が吸入管１２０の外部に抜け出して、バルブチューブ１３０の下端密封板１３２が吸入管１２０の先端部に位置するようになって、バルブチューブ１３０と吸入管１２０の連通状態が閉鎖され炭酸水１の排出が中止される。
【００３６】
一方、図５及び図６は、本発明の他の実施例による炭酸水取出用の瓶のキャップ組立体を示したことで、この実施例によれば排出管１１５’がキャップ部材１１０の一側を貫通するように結びついて、その排出管１１５’の後端部とバルブチューブ１３０の一側先端部が流動リーブＬにより互いに流動可能な状態で連通するように一体に成形された構成を有する。
【００３７】
前記流動リーブＬは例えば、図示のようにジャーバラ形で形成されてバルブチューブ１３０の流動によって連動できる自由度を有するように制作されるのが好ましい。
【００３８】
したがって、前記の実施例による炭酸水取出用の瓶のキャップ組立体によれば、弾性膜１１２が下方に屈曲変形されながらバルブチューブ１３０の折曲部１３１を圧押して降下させる。この時、排出管１１５’は前記流動リーブＬの緩衝作用により流動が防止されるので、バルブチューブ１３０だけが昇降運動できるようになる。これで、上述した実施例で同様の作用により炭酸水１が吸入管１２０とバルブチューブ１３０及び排出管１１５を順次的に経て排出される。
【００３９】
次に、図７及び図８は、本発明のまた他の実施例による炭酸水取出用の瓶のキャップ組立体を説明するための図面で、上述した実施例においてバルブチューブ及びその周辺の構造が変形された形態が適用されたものである。
【００４０】
図７及び図８を参照するに、この実施例による炭酸水取出用の瓶のキャップ組立体は、炭酸水１が受容されたペット瓶１０の取出口に着脱自在に結合されるキャップ部材２１０と、ペット瓶１０の内部に挿入されて炭酸水１に沈漬されるようにキャップ部材２１０に上端部が支持された吸入管１２０及びその吸入管１２０の上端部を出入して開閉するようにキャップ部材２１０に設置されたバルブチューブ２３０とを含む。
【００４１】
キャップ部材２１０は、示されたように、ペット瓶１０の取出口とその外注面に形成されたねじ１１を結合して密閉させるように内周面にねじ２１０ａが形成された円筒形本体２１１を有し、その上部には外力により上下方に弾性変形されてペット瓶１０の内部圧力変化を誘導できるように形成された弾性膜２１１が備わっている。
【００４２】
そして、弾性膜２１１の下方には、空間部ｓ’が形成されるように円筒形本体２１１の内周面に隔板２１３が備わって、隔板２１３の中央部にはバルブチューブ２３０を昇降可能な状態で支持できるように一側が開放された管形態のガイドリーブ２１６が前記空間部ｓ’に位置するように上方に突出形成され、隔板２１３の下方中央部には吸入管１２０の上端部に挿入されてそれを支持するように下方に突出形成された支持管２１４が備わっている。
【００４３】
また、円筒形本体２１１の一側には、瓶内部に受容された炭酸水が外部に排出される排出管２１５が備わって、排出管２１５はガイドリーブ２１６の一側開放部と連結するように内側に突出するように形成されると同時に、円筒形本体２１１の外側に突出するように形成されている。
【００４４】
本実施例によれば、キャップ部材２１０は例えば、合成樹脂材の射出成形により円筒形本体２１１と弾性膜２１２及び隔板２１３、そしてガイドリーブ２１６と排出管２１５が一体に形成されるのが好ましい。
【００４５】
バルブチューブ２３０は、吸入管１２０と排出管２１５との間に位置してそれらを連結できるようにガイドリーブ２１６に昇降可能な状態で設置される。
【００４６】
バルブチューブ２３０の上端部は、例えば、接着剤等により弾性膜２１２の底面に接着支持されることができて、小型スクリューやリベット等により弾性膜２１２に結合するように支持され弾性膜２１２の変形状態によって連動して昇降する。
【００４７】
バルブチューブ２３０の下端には密封板２３２が形成され、その密封板２３２の上方に１対の吸入口２３３が設けられていて、バルブチューブ２３０の本体一側には排出管２１５と通じるように開口部２３４が形成されている。
【００４８】
したがって、この実施例による瓶のキャップ組立体の動作過程は、図１ないし図４により説明された実施例の瓶のキャップ組立体と実質的に同じ作用により炭酸水が取出されることで、図８に図示されたように、弾性膜２１２が外力により下方に弾性変形されれば、バルブチューブ２３０が拘束され降下して、１対の吸入口２３３は吸入管１２０の上端部内に挿入され連通された状態を成してペット瓶１０に受容された炭酸水１の上部に充填されている高圧の炭酸ガスが炭酸水を押し出して、下方部の炭酸水が吸入管１２０を通じて上がりバルブチューブ２３０の吸入口２３３と排出管２１５を通じて外部に排出される。この時、排出される炭酸水１は前記空間部ｓと遮断された状態の吸入管１２０とバルブチューブ２３０及び排出管２１５を順次的に経て排出されるので、排出過程において前記空間部ｓの炭酸水充填が排除される。
【００４９】
そして、弾性膜２１２に加えた外力が除去されれば、バルブチューブ２３０が昇降して１対の吸入口２３３が吸入管１２０の外部に抜け出して、下端部の密封板２３２が吸入管１２０の先端部に位置することによって、バルブチューブ２３０と吸入管１２０の連通状態が閉鎖され炭酸水１の排出が中止される。
【００５０】
図９ないし図１２は、本発明のまた他の実施例による炭酸水取出用の瓶のキャップ組立体を説明するための図で、上述した実施例においてバルブチューブ及びその周辺の構造が変形された形態が適用されたものである。ここで、先に示した図と同じ参照符号は同一構成要素を表す。
【００５１】
図９ないし図１２を参照するに、この実施例による炭酸水取出用の瓶のキャップ組立体は、図１及び図２の実施例と対比すると、ペット瓶１０の取出口に着脱自在に結合されるキャップ部材１１０Ａの一側が上方に開口されるように形成し、その開口部に一体に成形制作されたバルブチューブ１３０Ａの排出管１１５が挿入されるように構造変更した構成を有する。このような構成によれば、キャップ部材１１０Ａ上方の弾性膜１１２の弾性変形時バルブチューブ１３０Ａの排出管１１５の昇降運動がより自由で柔軟に行われる利点がある。
【００５２】
図１３Ａないし図１３Ｂは、本発明のまた他の実施例による炭酸水取出用の瓶のキャップ組立体を説明するための図で、上述した実施例においてキャップ部材が変形された形態で適用されたものである。ここで、先に示された図と同じ参照符号は同一構成要素を表す。
【００５３】
図１３Ａないし図１３Ｂを参照するに、この実施例による炭酸水取出用の瓶のキャップ組立体は、図１及び図２の実施例と対比すると、ペット瓶１０の取出口に着脱自在に結合されるキャップ部材１１０Ｂの側壁をジャーバラ形態で形成し、その上方に通常的な板型キャップ膜１１２Ｂを設置したものである。このような構成によれば、ジャーバラ形キャップ部材１１０Ｂは、たとえ上方に他の実施例のように弾性膜１１２を設置せずにも板型キャップ膜１１２Ｂを加圧すればジャーバラ形側壁が弾性変形されてバルブチューブ１３０Ａの排出管１１５の昇降運動がより自由で柔軟に行われる利点がある。
【００５４】
図１４は、本発明のまた他の実施例に係る炭酸水取出用の瓶のキャップ組立体を説明するための図として、先に示した図と同じ参照符号は同一構成要素を表す。
【００５５】
図１４を参照するに、この実施例による炭酸水取出用の瓶のキャップ組立体は、図１及び図２に示した実施例の弾性膜１１２を適用する代わりに円板型加圧板１５０をキャップ部材１１０Ａの筒体１１１内周面に昇降可能な状態で結合したものである。すなわち、キャップ部材１１０Ａの側壁一部が上方に開口されるように開口部を形成し、その開口部には概略“フ”字形状で折曲成形されたバルブチューブ１３０Ａの排出管１１５が結合する。円板型加圧板１５０は、キャップ部材１１０Ａの筒体１１１の内周面に昇降可能な状態で結びついて、バルブチューブ１３０Ａの折曲部図３の１３１参照に固定された状態で結合したり、または一体型で形成される。そして、キャップ部材１１０Ａの隔板１１３と円板型加圧板１５０との間には例えば、スプリングやシリコンまたはゴムなどのような弾性体１６０がバルブチューブ１３０Ａの周囲をめぐるように設置される。
【００５６】
前記のような構成によれば、キャップ部材１１０Ａの加圧板１５０を加圧したり加圧力を解除するによってその下方に設置された弾性体１６０が弾性変形されたり原状復帰されることによって、バルブチューブ１３０Ａ及びその排出管１１５の昇降運動がより自由で柔軟に行われて、このような動作により上述した実施例と同じような作用によりペット瓶の内圧変化により炭酸水が吸入管１２０とバルブチューブ１３０Ａ及びその排出管１１５を順次的に経て取出される。
【００５７】
図１５は、本発明のまた他の実施例に係る炭酸水取出用の瓶のキャップ組立体を説明するための図で、上述した実施例においてキャップ部材が変形された形態で適用されたものである。ここで、先に示された図と同じ参照符号は同一構成要素を表すもので、この実施例による炭酸水取出用の瓶のキャップ組立体は、先に説明された加圧式により炭酸水を取り出す実施例等とは異なり、瓶のキャップの回転により炭酸水を取り出す回転式の瓶のキャップ組立体を提供する。
【００５８】
図１５を参照するに、瓶の取出口に着脱可能自在に結合されるキャップ部材３１０の円筒形本体３１１の内周面に隔板３１３が備わっていて、その隔板３１３の中央部には内外を貫通するねじ孔３１６が形成され、そのねじ孔３１６にねじを結合して回転運動することによって昇降運動するバルブチューブ３３０を含む。
【００５９】
バルブチューブ３３０は、ねじ孔３１６に貫通可能な状態でねじ結合するよう概略“フ”字形状で折曲形成された排出管３３０Ａと、その排出管３３０Ａの一側端に固定結合するチューブ部材３３０Ｂとを有する。排出管３３０Ａとチューブ部材３３０Ｂは一体に形成することもできるし、互いから分離された他の部品で形成し固定状態で結合する事も出来る。
【００６０】
チューブ部材３３０Ｂの下端部には密封板３３２と吸入口３３３を有し、排出管３３０Ａの折曲部上にはその回転のための抓み３３０Ｃが形成されている。
【００６１】
したがって、図１５に示された実施例の構成によれば、バルブチューブ３３０の抓み３３０Ｃを回転させれば、排出管３３０Ａとチューブ部材３３０Ｂが回転運動すると同時に昇降運動して瓶１０の内圧変化を誘発させ炭酸水が吸入管１２０とバルブチューブ３３０すなわち、チューブ部材３３０Ｂ及び排出管３３０Ａを順次的に経て取出される。
【００６２】
図１６は、本発明のまた他の実施例に係る炭酸水取出用の瓶のキャップ組立体を説明する図で、上述した実施例においてバルブチューブが変形された形態で適用されたものである。ここで、先に示した図と同じ参照符号は同一構成要素を表すもので、この実施例による炭酸水取出用の瓶のキャップ組立体は、バルブチューブを直線型で形成して加圧板に一体に形成することによって、先に説明した加圧式に加えて瓶全体を一定角度傾くことによって炭酸水を取り出す瓶のキャップ組立体を提供する。
【００６３】
図１６を参照するに、この実施例による炭酸水取出用の瓶のキャップ組立体は、図１及び図２の実施例の弾性膜１１２を適用する代わりに円板型加圧板１５０をキャップ部材１１０Ｃの筒体１１１の内周面に昇降可能な状態で結合し、加圧板１５０を貫通する直線型バルブチューブ１３０Ｃを一体に形成してキャップ部材１１０Ｃの隔板１１３と加圧板１５０との間に、例えば、スプリングやシリコンなどの弾性体１６０を加圧板１５０とバルブチューブ１３０Ｃの昇降手段で設置したものである。
【００６４】
このような構成によれば、キャップ部材１１０Ｃの加圧板１５０を加圧するによってその下方に設置された弾性体１６０が弾性変形されてバルブチューブ１３０Ｃ及びその排出管１１５’の昇降運動により瓶内圧変化が誘発され、この時瓶全体を一定の傾きで傾くことによって炭酸水が吸入管１２０とバルブチューブ１３０Ｃ及びその排出管１１５’を通じて取り出される。
【００６５】
本実施例による炭酸水取出用の瓶のキャップ組立体は、先に説明された加圧式に加えてペット瓶全体を一定角度傾けて炭酸水を取り出すことによって、ペット瓶を傾ける時炭酸ガスが瓶下端部に移動して炭酸ガス保存度をより高めることができる利点がある。
【００６６】
図１７は、上述した図１６により説明された実施例において、加圧板１５０の昇降運動を拘束するための拘束手段を採用したものである、図１７を参照すれば、前記拘束手段は、キャップ部材１１０Ｄの側壁に形成された第１掛溝１１１ａ及び第２掛溝１１１ｂと、バルブチューブ１３０Ｄの外注面に突出されて先端部が曲がり弾力的に変形される突出リーブ１３７に設けられる第１ホック１３７ａ及び第２ホック１３７ｂを含む。
【００６７】
第１ホック１３７ａは、弾性体１６０の弾性変形状態によって第１掛溝１１１ａで位置移動すると同時に、第２ホック１３７ｂは、第１掛溝１１１ａと第２掛溝１１１ｂに各々選択的にかかり拘束される。
【００６８】
本発明によれば、第１掛溝１１１ａの長さは第２掛溝１１１ｂの長さより長く形成され、特に第２掛溝１１１ｂの長さは第２ホック１３７ｂの厚さより僅かに大きいように形成されて流動時空間内での移動を許さない代りに離脱が容易に一側がラウンド状態で形成されるのが好ましい。そして、第１ホック１３７ａの長さは第２ホック１３７ｂの長さより長く形成されて、特に第１ホック１３７ａは第１掛溝１１１ａの外部に突出するように形成される反面に、第２ホック１３７ｂは第２掛溝１１１ｂの外部に突出されないように形成されて突出リーブ１３７の昇降によって容易に移動して第１掛溝１１１ａと第２掛溝１１１ｂに選択的にかかるように形成される。
【００６９】
前記のような構成を有する拘束手段によれば、加圧板１５０を加圧することによって弾性体１６０が弾性変形され、バルブチューブ１３０Ｄが降下すると同時にそれと一体に形成された突出リーブ１３７が降下する。これに伴い、突出リーブ１３７の曲がった先端部に備わった第１ホック１３７ａが第１掛溝１１１ａの上端から下端に位置移動すると同時に、第２ホック１３７ｂは弾力流動により第２掛溝１１１ａを抜け出し第１掛溝１１１ｂの後端部にかかり拘束される。これで、加圧板１５０に加えた加圧力が解除されても第２ホック１３７ｂが第１掛溝１１１ｂの後端部にかかり弾性体１６０の原状復帰を阻止する。
【００７０】
したがって、バルブチューブ１３０Ｄの降下状態が維持されワンタッチ式により瓶キャップをオープンして瓶全体を一定角度傾けて炭酸水を取り出すことができて、一定量の炭酸水取出しの後第１ホック１３７ａを加圧すれば、第２ホック１３７ｂが弾力流動により第１掛溝１１１ｂの後端部から離脱して第２掛溝１１１ａに移動することによって弾性体１６０の原状復帰によりバルブチューブ１３０Ｄが上昇して、瓶キャップが閉鎖される。
【００７１】
図１８は、図１６に示された本発明による炭酸水取出用の瓶のキャップ組立体のまた他の変形例を説明するためのものである。図１６により説明された実施例の加圧板１５０を加圧して交互に昇降運動させるためのまた他の拘束手段を採用したものであって、先に示された図と同じ参照符号は同一構成要素を表す。
【００７２】
図１８を参照するに、加圧板１５０を加圧して交互に昇降運動させるための拘束手段は、例えば家電製品のコントロールドアをワンタッチ式により開閉させるために主に採用される駆動メカニズムを利用したもので、キャップ部材１１０Ｅの筒体１１１の内周面に形成された凹溝に挟まれるように設置され、所定のカム溝４１２が形成されたカム部材４１０と、加圧板１５０の昇降運動によってカム溝４１２内で一方向にカム運動して交互にロック／アンロックするよう加圧板１５０に設置されたカムピン４２０を含む。
【００７３】
図１９は、カム部材４１０を抜粋して概略的に示したもので、カムピン４２０が加圧板１５０の昇降運動によってカム溝４１２内でカム運動して交互にロック／アンロックされる状態を示す。カム溝４１２は、示したように第１カムブロック４１１ａと第２カムブロック４１１ｂにより形成されて、カムピン４２０の移動を矢印とように一方向にだけ許すように底に傾斜したり段差が付いた複数の段顎ａ、ｂ、ｃ、ｄが形成されている。したがって、前記段顎ａ、ｂ、ｃ、ｄの間の底は互いに高低が異なるように形成されて、前記段顎ａ、ｂ、ｃ、ｄによりカムピン４２０の逆移動を防止できる。これに伴い、加圧板１５０を加圧すれば、カムピン４２０の先端部がカム溝４１２の一方向にだけ移動しながらカム溝４１２の下端部に拘束されてロックされる。これで、弾性体１６０の原状復帰を阻止して加圧板１５０とバルブチューブ１３０Ｅが降下した状態を持続して瓶のキャップをオープンされた状態で維持できる。
【００７４】
このような状態で加圧板１５０を再び加圧すれば、カムピン４２０の先端部がカム溝４１２の一方向に再び移動しながらカム溝４１２の下端部に拘束されてロック状態が解除される。これで、弾性体１６０の原状復帰を許して加圧板１５０と前記バルブチューブ１３０Ｅの上昇によって瓶のキャップを閉鎖された状態に維持することができる。
【００７５】
したがって、上述したように実施例の構成を有する瓶のキャップ組立体によれば、加圧板１５０をいわゆるワンタッチ式により加圧することによって交互に開閉して使用できる。
【００７６】
図２０は、上述した図１６により説明された実施例において、加圧板１５０を加圧して交互に昇降運動させるための他の拘束手段を採用したもので、先に示された図と同じ参照符号は同一構成要素を表す。
【００７７】
図２０を参照するに、この実施例に採用された拘束手段は、例えばボールペン芯をワンタッチ式によりロック／アンロックして開閉するために主に採用される駆動メカニズムを利用したもので、キャップ部材１１０Ｆの筒体１１１の内周面に長さ方向に形成された凹凸型ガイドレールＧと、前記ガイドレールＧと噛合い昇降運動自在に加圧板１５０に連結するように設置された歯部材５１０と、弾性体１６０により付勢され歯部材５１０と先端部が噛み合い密着されるように前記ガイドレールＧの終端部に挿入され、歯部材５１０の昇降運動によって干渉されて一方向に間歇的の回転運動により前記ガイドレールＧの終端部に選択的に拘束されることによって、前記ガイドレールＧとの交互な噛合いにより昇降運動自在に設置されたラチェットホイール部材５３０を含む。
【００７８】
歯部材５１０とラチェットホイール部材５３０は、各々バルブチューブ１３０Ｆ及びその排出管１１５’が貫通するように結合する。
【００７９】
ガイドレールＧは、図２０Ａに示されたように、キャップ部材１１０Ｆの円筒形本体１１１の内周面に深さが異なる第１凹溝Ｇ１と第２凹溝Ｇ２が一定の間隔で隣接され交互に配置されて、キャップ部材１１０Ｆの筒体１１１の内周面の終端部には前記ガイドレールＧと段差が付くようにシリンダー型で形成された案内部ｇを有し、ラチェットホイール部材５３０は前記案内部ｇに位置するように設置される。
【００８０】
本発明の一側面によれば、ガイドレール２１２の第１凹溝２１２ａと第２凹溝２１２ｂは、キャップ部材１１０Ｆの円筒形本体１１１の内周面からの深さが各々互いに異なるように形成されるのが好ましくて、より好ましいのは、概略１：２の割合で形成されるのが好ましい。すなわち、第２凹溝２１２ｂの深さが第１凹溝２１２ａの深さの二倍に形成されるのが好ましい。このような構成はラチェットホイール部材２５０を選択的に進入させ昇降を許すためのものである。
【００８１】
歯部材５１０は、図２０Ｂに示したように、円筒形本体５１１の終端部に形成された歯部５１５と、凹凸型ガイドレールＧと噛合うよう本体５１１の外注面に放射状に均等に配置されるように突出形成されたスライド片５１３を有し、そのスライド片５１３の先端部は図示されたように両方向で対応するように傾いた傾斜面を有する。
【００８２】
ラチェットホイール部材５３０は、図２０Ｃに図示したように歯部材５１０の歯部５１５と噛合うよう円筒形本体５３１の終端部に形成された歯部５３３と、前記ガイドレールＧの深さによって選択的に拘束されて交互な噛合いにより昇降運動するように本体５３１の外注面に放射状に均等配置されるように突出形成されたガイド片５３５を含む。ここで、図の参照符号５３７はガイド片５３５の先端部に一方向に傾くように形成された傾斜面として、この傾斜面５３７は歯部材５１０の昇降運動によりそのスライド片５１３の傾斜面に拘束されてラチェットホイール部材５３０を間歇的に回転させるようになる。これで、ガイド片５３５の位置が選択的に変更され整列されることによって、前記ガイドレールＧの第１凹溝Ｇ１または第２凹溝Ｇ２中のいずれか一つだけに挿入できる。このような作用は、ガイド片５３５の突出高さが、第１凹溝Ｇ１と第２凹溝Ｇ２の深さの中間に該当するように形成されることによって、ガイド片５３５がそれと噛合いできる凹溝に位置整列される場合にだけ前記ガイドレールＧを沿って昇降運動自在な状態でアンロックされる反面に、ガイド片５３５がそれと噛合いできない深さが低い凹溝に位置整列される場合には、その凹溝の段顎により拘束されて昇降運動が不可能な状態でロックされる。
【００８３】
一方、図２１Ａ及び図２１Ｂを参照するに、ラチェットホイール部材５３０は、前記ガイドレールＧの終端部に形成された空間案内部ｇに位置するように挿入されてその歯部５３３が歯部材５１０の歯部５１５と噛み合うように設置される。このような状態で歯部材５１０の昇降運動によって干渉されて一方向に間歇的な回転運動により前記ガイドレールＧの第１凹溝Ｇ１の終端部の段顎に選択的に拘束されることによって、ガイド片５３５が前記ガイドレールＧの第２凹溝Ｇ１と交互な噛合いにより昇降運動自在になっている。
【００８４】
本発明によれば、ラチェットホイール部材５３０は、示したように、キャップ部材１１０Ｆの隔板１１３に一端部が支持され設置される弾性体１６０により歯部材５１０に密着されるように上方向に付勢される。
【００８５】
上述したような構成を有する拘束手段によれば、加圧板１５０の加圧時、図２１Ａに図示されたように、歯部材５１０が降下してラチェットホイール部材５３０をガイドレールＧの先端空間案内部ｇに押し出す。これで、ガイド片５３５がガイドレールＧから抜け出しながらラチェットホイール部材５３０の傾斜面５３７は歯部材５１０のスライド片５１３の傾斜面により拘束されて一方向に間歇的に回転する。この時、ガイド片５３５の位置が前記ガイドレールＧの第１凹溝Ｇ１または第２凹溝Ｇ２中のいずれか一つに選択的に整列されるのに、凹溝の深さが相対的に深い第２凹溝Ｇ２と整列される時、弾性体１６０の弾性力により歯部材５１０と噛合う状態でガイド片５３５が前記ガイドレールＧの第２凹溝Ｇ２を沿って昇降する。したがって、ラチェットホイール部材５３０の昇降時歯部材５１０を上方に押し上げるによってバルブチューブ１３０Ｆ及びその排出管１１５’が上昇して瓶のキャップが閉鎖された状態を維持する。
【００８６】
一方、ラチェットホイール部材５３０の回転後、ガイド片５３５の位置が第１凹溝Ｇ１と整列する時は、ガイド片５３５の高さ寸法が第１凹溝Ｇ１の深さ寸法より相対的に大きいためにその段顎により拘束されて第１凹溝Ｇ１への進入がふさがってロック状態を維持する。したがって、ラチェットホイール部材５３０と歯部材５１との噛合い状態が解除されて降下状態を維持することによってバルブチューブ１３０Ｆ及びその排出管１１５’が降下して瓶のキャップがオープンされた状態を維持する。
【００８７】
上述したような拘束手段によれば、加圧板１５０をボタンを押さえるように加圧するにことによってキャップ部材１１０ＦのガイドレールＧと歯部材５１０及びラチェットホイール部材５３０の相互作用によりバルブチューブ１３０Ｆ及びその排出管１１５’のロック／アンロックが反復されて交互に昇降することによって、容易に瓶のキャップを開閉できる。
【００８８】
以上で説明したように、本発明に係る炭酸水取出用の瓶のキャップ組立体によれば、キャップ部材に形成された空間部と遮断された状態で連結する吸入管とバルブチューブ及び排出管を経て炭酸水が外部に排出されるによって前記空間部に対し炭酸水の充填が排除されてその流失を最小化できるだけでなく炭酸水の取出経路を最小化して取出された炭酸水の新鮮度を高める効果を得られる。
【００８９】
そして、キャップ部材に形成された空間部に炭酸水充填が排除されるによって炭酸水の排出動作が完了した以後に前記空間部に残留された炭酸水の漏水を基本的に防止できる。
【００９０】
また、本発明によればバルブチューブ１３０の吸入口１３３大きさ及び数量の多様な変形によって飲料水の噴出量と強さを調節できる効果を得られる。
【００９１】
本発明は、上述した特定の好ましい実施例に限らず、請求範囲で請求する本発明の要旨を逸脱せずなので、当該発明の属する技術分野において通常の知識を持つ者ならば誰でも多様な変形実施が可能である。
【図面の簡単な説明】
【図１】
本発明に係る炭酸水取出用の瓶のキャップ組立体がペット瓶に結合した状態を示した概略的な断面図である。
【図２】
図１に示された瓶のキャップ組立体を抜粋して、一部を切断して示した概略的な斜視図である。
【図３】
図１及び図２に示されたバルブチューブを抜粋して示した概略的な斜視図である。
【図４】
図１に示された炭酸水取出用の瓶のキャップ組立体の動作状態を説明するための概略的な断面図である。
【図５】
本発明の他の実施例による炭酸水取出用の瓶のキャップ組立体を説明するための概略的な断面図である。
【図６】
本発明の他の実施例による炭酸水取出用の瓶のキャップ組立体を説明するための概略的な断面図である。
【図７】
本発明の他の実施例による炭酸水取出用の瓶のキャップ組立体を説明するための概略的な断面図である。
【図８】
本発明の他の実施例による炭酸水取出用の瓶のキャップ組立体を説明するための概略的な断面図である。
【図９】
本発明のまた他の実施例による炭酸水取出用の瓶のキャップ組立体を説明するための概略的な断面図及び斜視図である。
【図１０】
本発明のまた他の実施例による炭酸水取出用の瓶のキャップ組立体を説明するための概略的な断面図及び斜視図である。
【図１１】
図９及び図１０の要部を抜粋して示した概略的な斜視図である。
【図１２】
図９及び図１０に示された実施例による炭酸水取出用の瓶のキャップ組立体の動作状態を説明するための概略的な断面図である。
【図１３Ａ】
本発明のまた他の実施例による炭酸水取出用の瓶のキャップ組立体及び動作状態を説明するための概略的な断面図である。
【図１３Ｂ】
本発明のまた他の実施例による炭酸水取出用の瓶のキャップ組立体及び動作状態を説明するための概略的な断面図である。
【図１４】
本発明のまた他の実施例による炭酸水取出用の瓶のキャップ組立体を説明するための概略的一部切断斜視図である。
【図１５】
本発明のまた他の実施例による炭酸水取出用の瓶のキャップ組立体を説明するための概略的一部切断斜視図である。
【図１６】
本発明のまた他の実施例による炭酸水取出用の瓶のキャップ組立体を説明するための概略的一部切断斜視図である。
【図１７】
図１６に示した本発明による炭酸水取出用の瓶のキャップ組立体の変形例を説明するための概略的な断面図である。
【図１８】
図１６に示した本発明による炭酸水取出用の瓶のキャップ組立体の他の変形例を説明するための概略的な断面図である。
【図１９】
図１８の要部を抜粋して概略的に示した平面図である。
【図２０】
図１６に示された本発明による炭酸水取出用の瓶のキャップ組立体のまた他の変形例を説明するための概略的な断面図である。
【図２０Ａ】
図２０の要部を抜粋して示した概略的な斜視図である。
【図２０Ｂ】
図２０の要部を抜粋して示した概略的な斜視図である。
【図２０Ｃ】
図２０の要部を抜粋して示した概略的な斜視図である。
【図２１Ａ】
図２０の要部を抜粋してその動作状態を説明するための概略的な斜視図である。
【図２１Ｂ】
図２０の要部を抜粋してその動作状態を説明するための概略的な斜視図である。
【国際公開パンフレット】
2004519392.tif 000003
2004519392.tif 000004
2004519392.tif 000005
2004519392.tif 000006
2004519392.tif 000007
2004519392.tif 000008
2004519392.tif 000009
2004519392.tif 000010
2004519392.tif 000011
2004519392.tif 000012
2004519392.tif 000013
2004519392.tif 000014
2004519392.tif 000015
2004519392.tif 000016
2004519392.tif 000017
2004519392.tif 000018
2004519392.tif 000019
2004519392.tif 000020
2004519392.tif 000021
2004519392.tif 000022
2004519392.tif 000023
2004519392.tif 000024
2004519392.tif 000025
2004519392.tif 000026
2004519392.tif 000027
2004519392.tif 000028
2004519392.tif 000029
2004519392.tif 000030
2004519392.tif 000031
2004519392.tif 000032
2004519392.tif 000033
2004519392.tif 000034
2004519392.tif 000035
2004519392.tif 000036
2004519392.tif 000037
2004519392.tif 000038
2004519392.tif 000039
2004519392.tif 000040
2004519392.tif 000041
2004519392.tif 000042
2004519392.tif 000043
2004519392.tif 000044
2004519392.tif 000045
2004519392.tif 000046
2004519392.tif 000047
2004519392.tif 000048
2004519392.tif 000049
2004519392.tif 000050
2004519392.tif 000051
2004519392.tif 000052
2004519392.tif 000053
2004519392.tif 000054
2004519392.tif 000055
2004519392.tif 000056
2004519392.tif 000057
2004519392.tif 000058
2004519392.tif 000059
2004519392.tif 000060
2004519392.tif 000061
2004519392.tif 000062
2004519392.tif 000063
2004519392.tif 000064
2004519392.tif 000065
2004519392.tif 000066
2004519392.tif 000067
2004519392.tif 000068
【国際調査報告】
2004519392.tif 000069
2004519392.tif 000070